(57)【要約】【課題】  インターネット監視端末から監視画面の蓄積を要求して、データ配信用ＷＷＷサーバ装置に監視画面の画像データを保存する遠隔監視システムを提供することである。【解決手段】  この発明の遠隔監視システムは、インターネット監視端末２００の送信する画像蓄積要求データを受信して監視対象機器３１、３２の監視データを所定の監視画面の画像データとして監視画面画像データベース１６に蓄積し、かつ、インターネット監視端末２００の送信する蓄積画面表示要求データを受信して監視画面画像データベース１８に蓄積された所定の監視画面の画像データをインターネット監視端末２００に表示可能に送信するデータ配信用ＷＷＷサーバ装置１０を備える。【選択図】  図１
2013239033.tif 000002
【特許請求の範囲】
【請求項１】
インターネット監視端末と、該インターネット監視端末とインターネット又はイントラネットを介して接続され、前記インターネット監視端末の送信する画像蓄積要求データを受信して監視対象機器の監視データを所定の監視画面の画像データとして監視画面画像データベースに蓄積し、かつ、前記インターネット監視端末の送信する蓄積画面表示要求データを受信して前記監視画面画像データベースに蓄積された前記所定の監視画面の画像データを前記インターネット監視端末に表示可能に送信するデータ配信用ＷＷＷサーバ装置とからなる遠隔監視システムであって、
前記インターネット監視端末は、画像蓄積要求データ及び蓄積画像表示要求データとして監視画面の識別子、指定時刻、及び端末ＩＤを前記インターネット又はイントラネットを介して前記データ配信用ＷＷＷサーバ装置へ送信するものであり、
前記データ配信用ＷＷＷサーバ装置は、前記監視対象機器の監視データを収集するデータ収集装置と、画面のレイアウト及び画面に表示する前記監視データを定義する画面定義を記憶する監視画面定義データベースと、前記監視画面の画像データを記憶する前記監視画面画像データーベースとを有し、
前記インターネット監視端末から前記画像蓄積要求データを受信すると、監視画面の識別子及び指定時刻により前記監視画面定義データベースから前記監視画面の識別子に対応した監視画面を入力するとともに前記データ収集装置から前記指定時刻に対応した監視データを入力して、監視画面の画像データを作成し、前記監視画面画像データベースに前記端末ＩＤ及び指定時刻を関連付けて記憶させ、
前記インターネット監視端末から前記蓄積画像表示要求データを受信すると、前記端末ＩＤ及び指定時刻に基づいて前記監視画面画像データベースを検索し、検索された所定の監視画面の画像データを前記インターネット監視端末へ表示可能に送信することを特徴とする遠隔監視システム。
【請求項２】
インターネット監視端末は、画像蓄積要求データとして複数の監視画面の識別子を定義する画面組合せの情報、指定時刻、及び端末ＩＤをインターネット又はイントラネットを介してデータ配信用ＷＷＷサーバ装置へ送信するものであり、
データ配信用ＷＷＷサーバ装置は、前記インターネット監視端末から前記画像蓄積要求データを受信すると、画面組合せデータベースに前記画面組合せの情報を記憶するとともに複数の監視画面の識別子及び指定時刻により監視画面定義データベースから前記複数の監視画面の識別子に対応した複数の監視画面を入力するとともにデータ収集装置から前記指定時刻に対応した監視データを入力して、複数の監視画面の画像データを作成し、監視画面画像データベースに前記端末ＩＤ及び指定時刻を関連付けて記憶するとともに前記画面組合せデータベースの画面組合せの情報及び該画面組合せの情報に対応する監視画面画像データベースの複数の監視画面の画像データにリンク情報を付加することを特徴とする請求項１に記載の遠隔監視システム。
【請求項３】
インターネット監視端末は、監視画面に関連する付加情報を記憶する追加情報１データベースを有し、画像蓄積要求データとともに前記追加情報１データベースに記憶させた付加情報をデータ配信用ＷＷＷサーバ装置に送信し、
データ配信用ＷＷＷサーバ装置は、前記インターネット監視端末から画像蓄積要求データとともに付加情報を受信すると、追加情報２データベースに前記付加情報を記憶するとともに前記追加情報２データベースの付加情報及び該付加情報に対応する監視画面画像データベースの監視画面の画像データにリンク情報を付加し、
前記インターネット監視端末から蓄積画面表示要求データを受信すると、所定の監視画面の画像データとともに該画像データにリンクした前記付加情報を前記インターネット監視端末へ表示可能に送信することを特徴とする請求項１又は請求項２に記載の遠隔監視システム。
【請求項４】
インターネット監視端末は、付加情報を作成する手段として、作業員による文字入力によりテキストファイルを作成する文字入力手段、又は作業員による写真の撮影により写真の画像ファイルを作成する写真撮影手段、又は作業員による動画の撮影により動画像ファイルを作成する動画撮影手段のいずれかを備えることを特徴とする請求項３に記載の遠隔監視システム。
【請求項５】
インターネット監視端末及びデータ配信用ＷＷＷサーバ装置とインターネット又はイントラネットを介して接続され、前記データ配信用ＷＷＷサーバ装置に蓄積する所定の監視画面の画像データ及び付加情報を所定の周期で収集してデータ蓄積装置に蓄積し、かつ、前記インターネット監視端末から蓄積画面表示要求データを受信して前記データ蓄積装置に蓄積された前記所定の監視画面の画像データ及び付加情報を前記インターネット監視端末に表示可能に送信するインターネット監視装置とを更に備える遠隔監視システムであって、
前記インターネット監視装置は、前記データ配信用ＷＷＷサーバ装置から収集した所定の監視画面の画像データを監視画面画像履歴データベースに記憶するとともに所定の付加情報を追加情報１履歴データベースに記憶し、
前記インターネット監視端末から蓄積画面表示要求データを受信すると、所定の端末ＩＤ及び指定時刻に基づいて前記監視画面画像履歴データベースを検索し、検索された所定の監視画面の画像データを前記インターネット監視端末へ表示可能に送信することを特徴とする請求項３又は請求項４に記載の遠隔監視システム。
【請求項６】
インターネット監視装置は、地図の図形情報及び位置情報を記憶する地図情報データベースを有し、
位置情報のある付加情報を追加情報１履歴データベースから検索した検索結果と前記地図情報データベースから前記検索結果に対応する地図情報とをインターネット監視端末へ表示可能に送信し、
インターネット監視端末は、前記検索結果及び地図情報を受信して位置情報のある付加情報の有無を地図上にマッピングした地図を表示することを特徴とする請求項５に記載の遠隔監視システム。
【請求項７】
パスワードを照合して認証される作業員だけが、監視画面の表示及び蓄積に対する操作を許可される認証機能を備えることを特徴とする請求項１ないし請求項６のいずれか１項に記載の遠隔監視システム。
【発明の詳細な説明】
【技術分野】
【０００１】
この発明は、インターネット又はイントラネットを利用して監視対象機器の遠隔監視を行う遠隔監視システムに関する。
【背景技術】
【０００２】
従来の遠隔監視システムは、監視対象機器から監視データを収集するデータ収集装置と、データ収集装置により収集された監視データをインターネット経由で配信するデータ配信用ＷＷＷサーバ装置とを監視対象局に設置し、ＷＥＢブラウザを有し、ＷＥＢブラウザによりデータ配信用ＷＷＷサーバ装置から配信される監視データを受信して表示することにより監視対象機器を遠隔から監視するインターネット監視端末を備える。なお、データ配信用ＷＷＷサーバ装置は、予め定義された監視画面定義にしたがい監視対象機器から収集された監視データを反映してＷＥＢブラウザで表示されるように監視画面の画像データを作成し、監視画面の画像データをインターネット経由で配信する。
さらに、データ配信用ＷＷＷサーバ装置から監視画面の画像データを取得するインターネット監視装置と、インターネット監視装置により取得された監視画面の画像データを画像履歴として蓄積するデータ蓄積装置とを設置した監視センタを追加することで、作業員の要求に応じて、データ蓄積装置に蓄積された画像履歴を指定時刻で検索し、インターネット監視端末のＷＢＥブラウザに監視画面を表示するものがある（例えば、特許文献１を参照）。
【０００３】
また、従来の送配電系統監視装置は、送配電系統機器の状態情報を表示する系統図を周期的に作成する計算機と、計算機が作成した系統図の情報をＷＷＷ通信手段経由で配信するＷＷＷサーバとを送配電系統監視制御所や配電営業所に設置し、ＷＷＷ通信手段経由で系統図の情報を受信し、ＷＷＷブラウザ上に系統図を表示する端末装置を備える（例えば、特許文献２を参照）。
【先行技術文献】
【特許文献】
【０００４】
【特許文献１】特開２００５−２０４１８３号公報（第３−６頁、第１−７図）
【特許文献２】特開２００２−９５１８７号公報（第３−４頁、第１図）
【発明の概要】
【発明が解決しようとする課題】
【０００５】
従来の遠隔監視システムは、作業員が現場で確認した監視画面の画像データをインターネット監視端末に保存し、その場で印刷して、作業内容や現場での気付き事項を一緒に記録することができなかった。
したがって、作業員が報告書又は日報を作成するには、事務所に戻って、現場で監視画面の画像データを確認した時刻前後の監視画面を、再表示して確認する作業が必要であった。
また、作業員が現場で確認した監視画面の画像データをインターネット監視端末上に保存しても、監視画面の画像データは保存したインターネット監視端末に存在するのみで、他の作業員又は他部門の作業員との間で、監視画面の画像データを共有することができず、別の手段によりデータ配信用ＷＷＷサーバ装置に保存して監視画面の画像データを共有する必要があった。
また、従来の遠隔監視システムは、監視対象機器の監視データを収集する度に監視画面の画像データを保存するため、蓄積効率が悪いという問題もあった。
【０００６】
この発明は、前記のような課題を解決するためになされたものであり、インターネット監視端末から監視画面の蓄積を要求して、データ配信用ＷＷＷサーバ装置に監視画面の画像データを保存する遠隔監視システムを提供することを目的とする。
【課題を解決するための手段】
【０００７】
この発明の遠隔監視システムは、インターネット監視端末とインターネット又はイントラネットを介して接続され、インターネット監視端末の送信する画像蓄積要求データを受信して監視対象機器の監視データを所定の監視画面の画像データとして監視画面画像データベースに蓄積し、かつ、インターネット監視端末の送信する蓄積画面表示要求データを受信して監視画面画像データベースに蓄積された所定の監視画面の画像データをインターネット監視端末に表示可能に送信するデータ配信用ＷＷＷサーバ装置とからなる遠隔監視システムであって、
インターネット監視端末は、画像蓄積要求データ及び蓄積画像表示要求データとして監視画面の識別子、指定時刻、及び端末ＩＤをインターネット又はイントラネットを介してデータ配信用ＷＷＷサーバ装置へ送信するものであり、
データ配信用ＷＷＷサーバ装置は、監視対象機器の監視データを収集するデータ収集装置と、画面のレイアウト及び画面に表示する監視データを定義する画面定義を記憶する監視画面定義データベースと、監視画面の画像データを記憶する監視画面画像データーベースとを有し、
インターネット監視端末から画像蓄積要求データを受信すると、監視画面の識別子及び指定時刻により監視画面定義データベースから監視画面の識別子に対応した監視画面を入力するとともにデータ収集装置から指定時刻に対応した監視データを入力して、監視画面の画像データを作成し、監視画面画像データベースに端末ＩＤ及び指定時刻を関連付けて記憶させ、
インターネット監視端末から蓄積画像表示要求データを受信すると、端末ＩＤ及び指定時刻に基づいて監視画面画像データベースを検索し、検索された所定の監視画面の画像データをインターネット監視端末へ表示可能に送信するものである。
【発明の効果】
【０００８】
この発明の遠隔監視システムは、インターネット監視端末とインターネット又はイントラネットを介して接続され、インターネット監視端末の送信する画像蓄積要求データを受信して監視対象機器の監視データを所定の監視画面の画像データとして監視画面画像データベースに蓄積し、かつ、インターネット監視端末の送信する蓄積画面表示要求データを受信して監視画面画像データベースに蓄積された所定の監視画面の画像データをインターネット監視端末に表示可能に送信するデータ配信用ＷＷＷサーバ装置とからなる遠隔監視システムであって、
インターネット監視端末は、画像蓄積要求データ及び蓄積画像表示要求データとして監視画面の識別子、指定時刻、及び端末ＩＤをインターネット又はイントラネットを介してデータ配信用ＷＷＷサーバ装置へ送信するものであり、
データ配信用ＷＷＷサーバ装置は、監視対象機器の監視データを収集するデータ収集装置と、画面のレイアウト及び画面に表示する監視データを定義する画面定義を記憶する監視画面定義データベースと、監視画面の画像データを記憶する監視画面画像データーベースとを有し、
インターネット監視端末から画像蓄積要求データを受信すると、監視画面の識別子及び指定時刻により監視画面定義データベースから監視画面の識別子に対応した監視画面を入力するとともにデータ収集装置から指定時刻に対応した監視データを入力して、監視画面の画像データを作成し、監視画面画像データベースに端末ＩＤ及び指定時刻を関連付けて記憶させ、
インターネット監視端末から蓄積画像表示要求データを受信すると、端末ＩＤ及び指定時刻に基づいて監視画面画像データベースを検索し、検索された所定の監視画面の画像データをインターネット監視端末へ表示可能に送信するもので、
インターネット監視端末から監視画面の蓄積を要求して、データ配信用ＷＷＷサーバ装置に監視画面の画像データを保存する遠隔監視システムを提供することができる。
【図面の簡単な説明】
【０００９】
【図１】この発明の実施の形態１における遠隔監視システムの構成を示すブロック図である。
【図２】この発明の実施の形態１における監視画面の蓄積要求時のインターネット監視端末の動作を示すフローチャートである。
【図３】この発明の実施の形態１における画面蓄積要求データを受信する時のデータ配信ＷＷＷサーバ装置の動作を示すフローチャートである。
【図４】この発明の実施の形態１における監視画面の選択メニューの表示例である。
【図５】この発明の実施の形態２における遠隔監視システムの構成を示すブロック図である。
【図６】この発明の実施の形態２における監視画面の蓄積要求時のインターネット監視端末の動作を示すフローチャートである。
【図７】この発明の実施の形態２における画面蓄積要求データを受信する時のデータ配信ＷＷＷサーバ装置の動作を示すフローチャートである。
【図８】この発明の実施の形態３における遠隔監視システムの構成を示すブロック図である。
【図９】この発明の実施の形態３における監視画面の蓄積要求時のインターネット監視端末の動作を示すフローチャートである。
【図１０】この発明の実施の形態４における遠隔監視システムの構成を示すブロック図である。
【図１１】この発明の実施の形態４における監視画面の蓄積要求時のインターネット監視端末の動作を示すフローチャートである。
【図１２】この発明の実施の形態４における画面蓄積要求データを受信する時のデータ配信ＷＷＷサーバ装置の動作を示すフローチャートである。
【図１３】この発明の実施の形態５における遠隔監視システムの構成を示すブロック図である。
【図１４】この発明の実施の形態５における監視対象局に保存された情報を監視センタのデータ蓄積装置に保存する動作を示すフローチャートである。
【図１５】この発明の実施の形態５におけるデータ蓄積装置に保存された情報をインターネット監視端末で表示する動作を示すフローチャートである。
【図１６】この発明の実施の形態６における遠隔監視システムの構成を示すブロック図である。
【図１７】この発明の実施の形態６におけるデータ蓄積装置に保存された付加情報の有無を地図上にマッピングした地図を表示する動作を示すフローチャートである。
【図１８】この発明の実施の形態６における付加情報をマッピングした地図の表示例である。
【図１９】この発明の実施の形態６における付加情報の有無を表示する地図から付加情報を選択して表示する動作を示すフローチャートである。
【００１０】
実施の形態１．
この発明の実施の形態１は、インターネット監視端末から監視画面の蓄積を要求して、データ配信用ＷＷＷサーバ装置に監視画面の画像データを保存する遠隔監視システムである。
図１は、この発明の実施の形態１における遠隔監視システムの構成を示すブロック図である。図２は、この発明の実施の形態１における監視画面の蓄積を要求する時のインターネット監視端末の動作を示すフローチャートである。図３は、この発明の実施の形態１における画面蓄積要求データを受信する時のデータ配信用ＷＷＷサーバ装置の動作を示すフローチャートである。図４は、この発明の実施の形態１における監視画面の選択メニューの表示例である。
【００１１】
この発明の実施の形態１における遠隔監視システムの構成について、図１をもとに説明する。
遠隔監視システムは、監視対象機器３１、３２を監視する監視対象局１と、監視対象局１とインターネット１００経由で接続するインターネット監視端末２００とで構成される。
監視対象局１は、監視データを収集するデータ収集装置２０と、インターネット１００経由でデータを配信するデータ配信用ＷＷＷサーバ装置１０とで構成される。
データ収集装置２０は、監視データベース２２を有し、データ収集手段２１を備える。
監視データベース２２には、監視対象機器３１、３２を計測した監視値、計測時刻などの監視データの情報が格納される。
データ収集手段２１は、所定の周期で、監視対象機器３１、３２から監視値を収集し、監視データとして監視値と計測時刻とを監視データベース２２に保存する。
【００１２】
データ配信用ＷＷＷサーバ装置１０は、監視画面定義データベース１６と監視画面画像データベース１７とを有し、データ配信手段１１と画面蓄積要求受付手段１２と画像変換手段１３とを備える。
監視画面定義データベース１６には、監視画面のレイアウトの情報とその監視画面で表示する監視データの組の情報とが格納される。
監視画面の種別には、例えば、グラフィック画面、トレンドグラフ画面、帳票画面、一覧画面、計器画面などがある。監視画面のレイアウトの情報には、例えば、グラフィック画面の場合、ラベル、データ、シンボルの表示位置、データ項目、表示レイヤー、フリッカなどがある。
監視画面画像データベース１７には、監視画面の画像データの情報と、画像データに関連付けた画面識別子、保存時刻及び端末ＩＤの情報とが格納される。
画面識別子は、監視画面を識別するためのＩＤである。保存時刻は、蓄積を要求された監視画面に表示される監視データの計測時刻である。端末ＩＤは、インターネット監視端末２００を識別するためのＩＤである。
データ配信手段１１は、画面表示要求データを受信して監視画面のレイアウトと監視値とを配信し、かつ、蓄積画像表示要求データを受信して監視画面の画像データを配信する。
画面蓄積要求受付手段１２は、画面蓄積要求データを受信し、画像変換手段１３により監視画面の画像データを蓄積する。
画像変換手段１３は、監視画面のレイアウトにしたがい監視値を表示する監視画面を作成し、画像データに変換して監視画面画像データベース１７に保存する。
【００１３】
インターネット監視端末２００は、ＷＥＢブラウザ２１０上に、画面データ表示手段２１１と画面蓄積要求手段２１２とを備える。
画面データ表示手段２１１は、画面表示要求データ及び蓄積画面表示要求データを送信するとともに監視画面のレイアウトと監視値とを受信して監視画面のレイアウトにしたがい監視値を表示する監視画面を作成してＷＥＢブラウザ２１０上に監視画面を表示するとともに監視画面の画像データを受信してＷＥＢブラウザ２１０上に監視画面を表示する。
画面蓄積要求手段２１２は、画面蓄積要求データを送信する。
【００１４】
次に、この発明の実施の形態１における遠隔監視システムの動作について、以下に説明する。
インターネット監視端末２００に監視画面を表示する動作について、図１をもとに説明する。
まず、作業員が、インターネット監視端末２００に表示する選択メニューから監視画面を選択し、指定時刻を入力する。
選択メニューは、図４（ａ）のように、グラフィック画面、トレンドグラフ画面、帳票画面などを選択ボタンとするか、図４（ｂ）のように、各監視画面をサムネイルで表示し、サムネイルの画像を選択ボタンとする。
指定時刻は、監視画面に表示する監視データの計測時刻を入力し、入力を省略する場合、インターネット監視端末２００の端末時刻が入力される。
画面データ表示手段２１１は、作業員が選択した監視画面の画面識別子を取得し、データ配信手段１１へ画面識別子と指定時刻とを含めた画面表示要求データを送信する。
データ配信手段１１は、画面データ表示手段２１１から画面表示要求データを受信すると、画面表示要求データの画面識別子を元に監視画面定義データベース１６から監視画面のレイアウトと表示する監視データの組を取得し、データ収集手段２１へ監視データの組と指定時刻とを送信する。
データ収集手段２１は、データ配信手段１１から監視データの組と指定時刻とを受信すると、監視データベース２２から指定時刻と計測時刻とが一致する監視データの組に対する監視値を取得し、データ配信手段１１へ監視値を送信する。
【００１５】
データ配信手段１１は、データ収集手段２１から監視値を受信すると、画面データ表示手段２１１へ監視画面のレイアウトと監視値とを送信する。
画面データ表示手段２１１は、データ配信手段１１から監視画面のレイアウトと監視値とを受信すると、監視画面のレイアウトにしたがい監視値を表示する監視画面を作成してＷＥＢブラウザ２１０上に表示するとともに監視画面のレイアウトにしたがい蓄積要求ボタン（図示せず）をＷＥＢブラウザ２１０上に表示する。
【００１６】
次に、作業員が表示中の監視画面に対する蓄積を要求する時のインターネット監視端末２００の動作について、図２をもとに説明する。
ステップＳ１０１では、作業員が、ＷＥＢブラウザ２１０上に表示される蓄積要求ボタン（図示せず）を操作して画面蓄積要求手段２１２を起動する。
【００１７】
ステップＳ１０２では、画面蓄積要求手段２１２が、画面データ表示手段２１１から監視画面の画面識別子と指定時刻と、インターネット監視端末２００の端末ＩＤとを取得する。
【００１８】
ステップＳ１０３では、画面蓄積要求手段２１２が、画面識別子と指定時刻と端末ＩＤとを含めた画面蓄積要求データを作成する。
【００１９】
ステップＳ１０４では、画面蓄積要求手段２１２が、画面蓄積要求受付手段１２へ画面蓄積要求データを送信する。
【００２０】
ステップＳ１０５では、画面蓄積要求手段２１２が、画面蓄積要求受付手段１２から画面蓄積要求の成否を受信する。
【００２１】
ステップＳ１０６では、画面蓄積要求手段２１２が、画面蓄積要求の結果（図示せず）をＷＥＢブラウザ２１０上に表示する。
【００２２】
次に、画面蓄積要求データを受信する時のデータ配信用ＷＷＷサーバ装置１０の動作について、図３をもとに説明する。
ステップＳ１００１では、画面蓄積要求受付手段１２が、画面蓄積要求手段２１２から画面蓄積要求データを受信する。
【００２３】
ステップＳ１００２では、画面蓄積要求受付手段１２が、画面蓄積要求データから画面識別子と指定時刻と端末ＩＤとを取り出す。
【００２４】
ステップＳ１００３では、画面蓄積要求受付手段１２が、画面識別子と指定時刻と端末ＩＤとを指定して、画像変換手段１３を呼び出す。
【００２５】
ステップＳ１００４では、画像変換手段１３が、画面識別子を元に監視画面定義データベース１６から監視画面のレイアウトとその監視画面で表示する監視データの組とを取得する。
【００２６】
ステップＳ１００５では、画像変換手段１３が、指定時刻と監視データの組とを指定して監視データベース２２から指定時刻と計測時刻とが一致する監視データの組に対する監視値を取得する。
【００２７】
ステップＳ１００６では、画像変換手段１３が、監視画面のレイアウトにしたがい監視値を表示する監視画面を作成する。
【００２８】
ステップＳ１００７では、画像変換手段１３が、監視画面を画像データに変換して、監視画面画像データベース１７に、画像データを保存するとともに画像データに関連付けて画面識別子と端末ＩＤと、保存時刻として指定時刻とを保存する。
【００２９】
ステップＳ１００８では、画像変換手段１３が、画面蓄積要求受付手段１２へステップＳ１００７の保存の成否を送信する。
【００３０】
ステップＳ１００９では、画面蓄積要求受付手段１２が、画像変換手段１３から保存の成否を受信すると、画面蓄積要求データを受信した画面蓄積要求手段２１２へ画面蓄積要求の成否として保存の成否を送信する。
【００３１】
次に、監視対象局１に保存する監視画面の画像データをインターネット監視端末２００に表示する時の動作について、図１をもとに説明する。
まず、作業員が、インターネット監視端末２００に表示する選択メニューから監視画面を選択し、端末ＩＤと指定時刻とを入力する。
端末ＩＤは、作業員が操作するインターネット監視端末２００の端末ＩＤが入力される。なお、他の作業員又は他部門の作業員が使用するインターネット監視端末２００の端末ＩＤを入力すれば、他の作業員又は他部門の作業員が保存した監視画面の画像データを表示できる。
指定時刻は、蓄積を要求した監視画面に表示される監視データの計測時刻を入力する。
【００３２】
画面データ表示手段２１１は、作業員が選択した監視画面の画面識別子を取得し、データ配信手段１１へ画面識別子と端末ＩＤと指定時刻とを含めた蓄積画面表示要求データを送信する。
データ配信手段１１は、画面データ表示手段２１１から画面表示要求データを受信すると、蓄積画面表示要求データに含まれる画面識別子と端末ＩＤと指定時刻とを検索キーとして監視画面画像データベース１７を検索し、監視画面の画像データを取得する。
データ配信手段１１は、画面データ表示手段２１１へ取得した監視画面の画像データを送信する。
画面データ表示手段２１１は、データ配信手段１１から監視画面の画像データを受信すると、ＷＥＢブラウザ２１０上に監視画面を表示する。
【００３３】
この発明の実施の形態１によれば、インターネット監視端末から監視画面に対する蓄積を要求すると、データ配信用ＷＷＷサーバ装置に監視画面の画像データを保存する遠隔監視システムを提供することができる。
また、端末ＩＤ及び指定時刻に基づいて保存された監視画面の画像データを検索して表示することで、監視画面の画像データを効率的に検索でき、他の作業員又は他部門の作業員との間で、監視画面の画像データを共有することができる。
また、監視対象機器の監視データを収集する度に画像データを蓄積する場合に比べて、作業員が指定したものだけを保存するので、画像データの蓄積効率が向上する。
【００３４】
なお、この発明の実施の形態１における遠隔監視システムに、パスワードを照合して認証された作業員だけが、監視画面の表示及び蓄積の操作を許可される認証機能を備えれば、第三者に対する監視画面の情報漏洩を防止できる。
【００３５】
実施の形態２．
この発明の実施の形態２は、インターネット監視端末上にある監視画面に関連する付加情報を、監視画面の画像データと関連付けてデータ配信用ＷＷＷサーバ装置に保存する遠隔監視システムである。
図５は、この発明の実施の形態２における遠隔監視システムの構成を示すブロック図である。図６は、この発明の実施の形態２における監視画面の蓄積を要求する時のインターネット監視端末の動作を示すフローチャートである。図７は、この発明の実施の形態２における画面蓄積要求データを受信する時のデータ配信ＷＷＷサーバ装置の動作を示すフローチャートである。
【００３６】
この発明の実施の形態２における遠隔監視システムの構成について、図５をもとに説明する。
この発明の実施の形態１と同様の構成の説明は、省略する。
データ配信用ＷＷＷサーバ装置１０は、監視画面定義データベース１６と監視画面画像データベース１７と追加情報２データベース１８とを有し、データ配信手段１１と画面蓄積要求受付手段１２と画像変換手段１３と追加情報格納手段１４とを備える。
監視画面画像データベース１７には、監視画面の画像データの情報と、画像データに関連付けた画面識別子、保存時刻及び端末ＩＤの情報と、画像データに対応する付加情報とのリンク情報とが格納される。
追加情報２データベース１８には、付加情報と、付加情報に対応する画像データとのリンク情報とが格納される。
画面蓄積要求受付手段１２は、画面蓄積要求データを受信し、画像変換手段１３により監視画面を蓄積し、かつ、追加情報格納手段１４により付加情報を蓄積する。
追加情報格納手段１４は、付加情報を追加情報２データベース１８に保存する。
【００３７】
インターネット監視端末２００は、追加情報１データベース２２１を有し、ＷＥＢブラウザ２１０上に、画面データ表示手段２１１と画面蓄積要求手段２１２と追加情報付加手段２１３とを備える。
追加情報１データベース２２１には、監視画面に関連する付加情報が格納される。
付加情報は、作業員の気付き事項を記載したテキストファイル、写真を撮影した写真の画像ファイル、動画を撮影した動画像ファイルなどがあり、インターネット監視端末２００上にあるファイルを指定できる。
画面蓄積要求手段２１２は、付加情報を含む画面蓄積要求データを送信する。
追加情報付加手段２１３は、追加情報１データベース２２１に保存する付加情報を選択して画面蓄積要求データに付加する。
【００３８】
次に、この発明の実施の形態２における遠隔監視システムの動作について、以下に説明する。
作業員が、表示中の監視画面に対する蓄積を要求する際に、インターネット監視端末２００上にある写真の画像ファイルを付加情報として保存する時のインターネット監視端末２００の動作について、図６をもとに説明する。
予め、作業員が、インターネット監視端末２００上にある写真の画像ファイルを、追加情報１データベース２２１に保存しておく。
ステップＳ２０１では、作業員が、ＷＥＢブラウザ２１０上に表示される蓄積要求ボタン（図示せず）を操作して画面蓄積要求手段２１２を起動する。
【００３９】
ステップＳ２０２では、画面蓄積要求手段２１２が、画面データ表示手段２１１から監視画面の画面識別子と指定時刻と、インターネット監視端末２００の端末ＩＤとを取得する。
【００４０】
ステップＳ２０３では、画面蓄積要求手段２１２から起動された追加情報付加手段２１３が、追加情報１データベース２２１に保存された付加情報の一覧表（図示せず）と選択ボタン（図示せず）とをＷＥＢブラウザ２１０上に表示して作業員に選択させ、作業員に選択された写真の画像ファイルの情報を画面蓄積要求手段２１２へ渡す。
【００４１】
ステップＳ２０４では、画面蓄積要求手段２１２が、画面識別子と指定時刻と端末ＩＤと写真の画像ファイルとを含めた画面蓄積要求データを作成する。
【００４２】
ステップＳ２０５では、画面蓄積要求手段２１２が、画面蓄積要求受付手段１２へ画面蓄積要求データを送信する。
【００４３】
ステップＳ２０６では、画面蓄積要求手段２１２が、画面蓄積要求受付手段１２から画面蓄積要求の成否を受信する。
【００４４】
ステップＳ２０７では、画面蓄積要求手段２１２が、画面蓄積要求の結果（図示せず）をＷＥＢブラウザ２１０上に表示する。
【００４５】
次に、画面蓄積要求データを受信する時のデータ配信用ＷＷＷサーバ装置１０の動作について、図７をもとに説明する。
ステップＳ２００１では、画面蓄積要求受付手段１２が、画面蓄積要求手段２１２から画面蓄積要求データを受信する。
【００４６】
ステップＳ２００２では、画面蓄積要求受付手段１２が、画面蓄積要求データから画面識別子と指定時刻と端末ＩＤと写真の画像ファイルとを取り出す。
【００４７】
ステップＳ２００３では、画面蓄積要求受付手段１２が、画面識別子と指定時刻と端末ＩＤとを指定して、画像変換手段１３を呼び出す。
【００４８】
ステップＳ２００４では、画像変換手段１３が、画面識別子を元に監視画面定義データベース１６から監視画面のレイアウトとその監視画面に表示する監視データの組とを取得する。
【００４９】
ステップＳ２００５では、画像変換手段１３が、指定時刻と監視データの組とを指定して監視データベース２２から指定時刻と計測時刻とが一致する監視データの組に対する監視値を取得する。
【００５０】
ステップＳ２００６では、画像変換手段１３が、監視画面のレイアウトにしたがい監視値を表示する監視画面を作成する。
【００５１】
ステップＳ２００７では、画像変換手段１３が、監視画面を画像データに変換して、監視画面画像データベース１７に、画像データを保存するとともに画像データに関連付けて画面識別子と端末ＩＤと、保存時刻として指定時刻とを保存する。
【００５２】
ステップＳ２００８では、画像変換手段１３が、画面蓄積要求受付手段１２へステップＳ２００７の保存の成否を送信する。
【００５３】
ステップＳ２００９では、画面蓄積要求受付手段１２が、画面識別子と指定時刻と端末ＩＤと写真の画像ファイルとを指定して、追加情報格納手段１４を呼び出す。
【００５４】
ステップＳ２０１０では、追加情報格納手段１４が、写真の画像ファイルを追加情報２データベース１８に保存するとともに画面識別子と端末ＩＤとに対応し保存時刻が指定時刻と一致する画像データを監視画面画像データベース１７から検索し、検索した画像データに写真の画像ファイルとのリンク情報を保存し、追加情報２データベース１８に保存した写真の画像ファイルに検索した画像データとのリンク情報を保存する。
【００５５】
ステップＳ２０１１では、画面蓄積要求受付手段１２が、画面蓄積要求データを受信した画面蓄積要求手段２１２へ画面蓄積要求の成否として保存の成否を送信する。
【００５６】
この発明の実施の形態２によれば、インターネット監視端末上にある監視画面に関連する付加情報を、監視画面の画像データと関連付けてデータ配信用ＷＷＷサーバ装置に保存する遠隔監視システムを提供することができる。
また、作業員の気付き事項を記載したテキストファイルや動画を撮影した動画像ファイルも、付加情報として保存することができるので、作業員が報告書・日報を作成する際の作業効率が向上する。
【００５７】
なお、この発明の実施の形態２における遠隔監視システムに、付加情報に含まれる文字列に基づいて保存された監視画面の画像データを検索する検索機能を備えれば、監視画面の画像データを効率的に検索できる。
【００５８】
実施の形態３．
この発明の実施の形態３は、インターネット監視端末上で、付加情報を作成して、監視画面の画像データと関連付けて保存する遠隔監視システムである。
図８は、この発明の実施の形態３における遠隔監視システムの構成を示すブロック図である。図９は、この発明の実施の形態３における監視画面の蓄積を要求する時のインターネット監視端末の動作を示すフローチャートである。
【００５９】
この発明の実施の形態３における遠隔監視システムの構成について、図８をもとに説明する。
この発明の実施の形態２と同様の構成の説明は、省略する。
インターネット監視端末２００は、追加情報１データベース２２１を有し、ＷＥＢブラウザ２１０上に、画面データ表示手段２１１と画面蓄積要求手段２１２と追加情報付加手段２１３と追加情報入力手段２１４と追加情報入力補助手段２２２とを備える。
追加情報入力手段２１４は、追加情報入力補助手段２２２により作成される付加情報を追加情報１データベース２２１に保存する。
追加情報入力補助手段２２２は、付加情報の入力形態毎に付加情報を作成する。
付加情報の入力形態には、例えば、気付き情報として文字又は音声を入力する形態、写真又は動画を撮影する形態があり、それぞれの形態で付加情報として、テキストファイル又は音声ファイル、写真の画像ファイル又は動画像ファイルを作成する。
また、インターネット監視端末２００が持つセンサ機能で取得できる情報を、入力形態の１つとして、付加情報を取得しても良い。このセンサ機能には、例えば、ＧＰＳ、加速度センサ、方位センサなどがあり、インターネット監視端末２００の位置情報、写真又は動画の撮影方向の情報を取得する。
【００６０】
次に、この発明の実施の形態３における遠隔監視システムの動作について、以下に説明する。
作業員が、表示中の監視画面に対する蓄積を要求する際に、動画を撮影した動画像ファイルを作成し、動画像ファイルを付加情報として保存する時のインターネット監視端末２００の動作について、図９をもとに説明する。
ステップＳ３０１では、作業員が、ＷＥＢブラウザ２１０上に表示される蓄積要求ボタン（図示せず）を操作して画面蓄積要求手段２１２を起動する。
【００６１】
ステップＳ３０２では、画面蓄積要求手段２１２が、画面データ表示手段２１１から監視画面の画面識別子と指定時刻と、インターネット監視端末２００の端末ＩＤとを取得する。
【００６２】
ステップＳ３０３では、画面蓄積要求手段２１２から起動された追加情報付加手段２１３が、追加情報入力手段２１４を起動する。
【００６３】
ステップＳ３０４では、追加情報入力手段２１４が、付加情報の入力形態毎の選択ボタンとして、例えば、気付き情報として文字や音声を入力する入力形態１ボタン（図示せず）と、写真又は動画を撮影する入力形態２ボタン（図示せず）とをＷＥＢブラウザ２１０上に表示して作業員に選択させ、選択結果から入力形態毎の追加情報入力補助手段２２２を起動する。
【００６４】
ステップＳ３０５では、作業員により入力形態２ボタン（図示せず）が選択され、動画を撮影する追加情報入力補助手段２２２が、作業員の操作により動画を撮影して動画像ファイルを作成する。
また、入力形態１ボタン（図示せず）が選択された場合、作業員が、気付き事項を文字又は音声により入力して、テキストファイル又は音声ファイルを作成する。
なお、ＷＥＢブラウザ２１０上で入力可能な文字情報などは、追加情報入力補助手段２２２により入力せずに、追加情報入力手段２１４によりＷＥＢブラウザ２１０上から入力して追加情報１データベース２２１にテキストファイルを作成する構成にしても良い。
【００６５】
ステップＳ３０６では、追加情報入力手段２１４が、追加情報入力補助手段２２２により作成された動画像ファイルを追加情報１データベース２２１に保存し、動画像ファイルの情報を追加情報付加手段２１３へ渡す。
【００６６】
ステップＳ３０７では、追加情報付加手段２１３が、動画像ファイルの情報を画面蓄積要求手段２１２へ渡す。
【００６７】
ステップＳ３０８では、画面蓄積要求手段２１２が、画面識別子と指定時刻と端末ＩＤと動画像ファイルとを含めた画面蓄積要求データを作成する。
【００６８】
ステップＳ３０９では、画面蓄積要求手段２１２が、画面蓄積要求受付手段１２へ画面蓄積要求データを送信する。
【００６９】
ステップＳ３１０では、画面蓄積要求手段２１２が、画面蓄積要求受付手段１２から画面蓄積要求の成否を受信する。
【００７０】
ステップＳ３１１では、画面蓄積要求手段２１２が、画面蓄積要求の結果（図示せず）をＷＥＢブラウザ２１０上に表示する。
なお、画面蓄積要求データを受信する時のデータ配信用ＷＷＷサーバ装置１０の動作は、この発明の実施の形態２と同様に、写真の画像ファイルを動画像ファイルに置き換えたものと同じなので、説明を省略する。
【００７１】
この発明の実施の形態３によれば、インターネット監視端末上で、文字や音声、写真や動画の付加情報を作成して、データ配信用ＷＷＷサーバ装置に監視画面の画像データと関連付けて保存する遠隔監視システムを提供することができる。
また、インターネット監視端末のセンサ機能で取得する位置情報、写真又は動画の撮影方向の情報を付加情報として作成すれば、作業員が位置情報、写真又は動画の撮影方向の情報を入力する手間が省ける。
【００７２】
実施の形態４．
この発明の実施の形態４は、インターネット監視端末で複数の監視画面に対する蓄積を要求する遠隔監視システムである。
図１０は、この発明の実施の形態４における遠隔監視システムの構成を示すブロック図である。図１１は、この発明の実施の形態４における監視画面の蓄積を要求する時のインターネット監視端末の動作を示すフローチャートである。図１２は、この発明の実施の形態４における画面蓄積要求データを受信する時のデータ配信ＷＷＷサーバ装置の動作を示すフローチャートである。
【００７３】
この発明の実施の形態４における遠隔監視システムの構成について、図１０をもとに説明する。
この発明の実施の形態１と同様の構成の説明は、省略する。
データ配信用ＷＷＷサーバ装置１０は、監視画面定義データベース１６と監視画面画像データベース１７と画面組合せデータベース１９とを有し、データ配信手段１１と画面蓄積要求受付手段１２と画像変換手段１３と画面組合せ情報格納手段１５とを備える。
監視画面画像データベース１７には、監視画面の画像データの情報と、画像データに関連付けた画面識別子、保存時刻及び端末ＩＤの情報と、画像データに対応する画面組合せの情報とのリンク情報とが格納される。
画面組合せデータベース１９には、複数の監視画面に対応する複数の画面識別子を含む画面組合せの情報と、画面組合せの情報に対応する画像データとのリンク情報とが格納される。
画面蓄積要求受付手段１２は、画面蓄積要求データを受信し、画像変換手段１３を複数回呼び出して複数の監視画面の画像データを蓄積し、画面組合せ情報格納手段１５により画面組合せの情報を蓄積する。
画面組合せ情報格納手段１５は、画面組合せの情報を画面組合せデータベース１９に保存する。
【００７４】
インターネット監視端末２００は、ＷＥＢブラウザ２１０上に、画面データ表示手段２１１と画面蓄積要求手段２１２と画面組合せ指示手段２１５とを備える。
画面蓄積要求手段２１２は、画面組合せの情報を含む画面蓄積要求データを送信する。
画面組合せ指示手段２１５は、複数の監視画面に対する複数の画面識別子を含む画面組合せの情報を作成する。
【００７５】
次に、この発明の実施の形態４における遠隔監視システムの動作について、以下に説明する。
作業員が、複数の監視画面に対する蓄積を要求する時のインターネット監視端末２００の動作について、図１１をもとに説明する。
ステップＳ４０１では、作業員が、ＷＥＢブラウザ２１０上に表示される蓄積要求ボタン（図示せず）を操作して画面蓄積要求手段２１２を起動する。
【００７６】
ステップＳ４０２では、画面蓄積要求手段２１２が、インターネット監視端末２００の端末ＩＤを取得する。
【００７７】
ステップＳ４０３では、画面蓄積要求手段２１２が、画面組合せ指示手段２１５を起動する。
【００７８】
ステップＳ４０４では、画面組合せ指示手段２１５が選択メニューを表示し、作業員に複数の監視画面を選択させ、指定時刻を入力させる。
選択メニューは、この発明の実施の形態１と同様に、図４（ａ）又は図４（ｂ）の選択ボタンを表示する。
作業員の選択結果から複数の画面識別子を含む画面組合せの情報を作成し、画面組合せの情報と指定時刻とを画面蓄積要求手段２１２へ渡す。
【００７９】
ステップＳ４０５では、画面蓄積要求手段２１２が、画面組合せの情報と指定時刻と端末ＩＤとを含めた画面蓄積要求データを作成する。
【００８０】
ステップＳ４０６では、画面蓄積要求手段２１２が、画面蓄積要求受付手段１２へ画面蓄積要求データを送信する。
【００８１】
ステップＳ４０７では、画面蓄積要求手段２１２が、画面蓄積要求受付手段１２から画面蓄積要求の成否を受信する。
【００８２】
ステップＳ４０８では、画面蓄積要求手段２１２が、画面蓄積要求の結果（図示せず）をＷＥＢブラウザ２１０上に表示する。
【００８３】
次に、画面蓄積要求データを受信する時のデータ配信用ＷＷＷサーバ装置１０の動作について、図１２をもとに説明する。
ステップＳ４００１では、画面蓄積要求受付手段１２が、画面蓄積要求手段２１２から画面蓄積要求データを受信する。
【００８４】
ステップＳ４００２では、画面蓄積要求受付手段１２が、画面蓄積要求データから画面組合せの情報と指定時刻と端末ＩＤとを取り出す。
【００８５】
ステップＳ４００３では、画面蓄積要求受付手段１２が、画面組合せの情報から複数の画面識別子を取得し、指定時刻と画面識別子と端末ＩＤとを指定して画像変換手段１３を複数回呼び出すことで、この発明の実施の形態１と同様に、画像変換手段１３により監視画面を作成して画像データに変換し、複数の画像データを監視画面画像データベース１７に保存するとともに複数の画像データに関連付けて端末ＩＤと、保存時刻として指定時刻とを監視画面画像データベース１７に保存する。
【００８６】
ステップＳ４００４では、画面蓄積要求受付手段１２が、指定時刻と端末ＩＤと複数の画面識別子とを指定して画面組合せ情報格納手段１５を呼び出す。
【００８７】
ステップＳ４００５では、画面組合せ情報格納手段１５が、複数の画面識別子を画面組合せの情報として画面組合せデータベース１９に保存するとともに複数の画面識別子と端末ＩＤとに対応して保存時刻が指定時刻と一致する画像データを監視画面画像データベース１７から検索し、検索した画像データに画面組合せの情報とのリンク情報を保存し、画面組合せデータベース１９に保存した画面組合せの情報に検索した画像データとのリンク情報を保存する。
【００８８】
ステップＳ４００６では、画面蓄積要求受付手段１２が、画面蓄積要求データを受信した画面蓄積要求手段２１２へ画面蓄積要求の成否を送信する。
なお、この発明の実施の形態４では、この発明の実施の形態２及びこの発明の実施の形態３で述べた付加情報の保存が無い構成としているが、付加情報の保存と統合した構成としても良い。
【００８９】
この発明の実施の形態４によれば、インターネット監視端末から複数の監視画面に対する蓄積を要求すると、データ配信用ＷＷＷサーバ装置に複数の監視画面の画像データを保存する遠隔監視システムを提供することができる。
また、複数の監視画面を同時に蓄積できるので、監視データを一覧表の形式で表示する監視画面や関連する監視データをグラフ化して表示する監視画面をまとめて蓄積することで、監視対象機器の状態を効率的に記録することができる。
また、インターネット監視端末に表示していない監視画面も、纏めて蓄積要求できるので、監視画面を表示して確認する時間を省き、現場での作業時間を短縮できる。
【００９０】
実施の形態５．
この発明の実施の形態５は、所定の周期で、監視対象局に保存された画像データと付加情報と画面組合せ情報とを、監視センタのデータ蓄積装置に保存し、監視センタのデータ蓄積装置に保存された画像データと付加情報とをインターネット監視端末に表示する遠隔監視システムである。
図１３は、この発明の実施の形態５における遠隔監視システムの構成を示すブロック図である。図１４は、この発明の実施の形態５における監視対象局に保存された情報を監視センタのデータ蓄積装置に保存する動作を示すフローチャートである。図１５は、この発明の実施の形態５における監視センタのデータ蓄積装置に保存された情報をインターネット監視端末で表示する動作を示すフローチャートである。
【００９１】
この発明の実施の形態５における遠隔監視システムの構成について、図１３をもとに説明する。
この発明の実施の形態４と同様の構成の説明は、省略する。
遠隔監視システムは、監視対象機器３１、３２を監視する監視対象局１と、監視対象局１とインターネット１００経由で接続するインターネット監視端末２００及び監視センタ３００とで構成される。
監視センタ３００は、監視対象局１からデータを取得するインターネット監視装置３１０と、取得したデータを保存するデータ蓄積装置３２０とで構成される。
データ配信手段１１は、画像データの配信要求を受信し、保存された監視画面の画像データと付加情報と画面組合せの情報とを配信する。
インターネット監視装置３１０は、監視画像取得手段３１１と蓄積データ配信手段３１２とを備える。
監視画像取得手段３１１は、画像データの配信要求を送信する。
蓄積データ配信手段３１２は、一覧表の表示要求データを受信すると画像検索手段３２２及び追加情報検索手段３２３から検索結果を取得して一覧表の情報を作成して配信するとともに蓄積画面表示要求データを受信するとデータ蓄積装置３２０に保存される監視画面の画像データと付加情報とを配信する。
【００９２】
データ蓄積装置３２０は、監視画面画像履歴データベース３２５と追加情報１履歴データベース３２６と画面組合せ履歴データベース３２７とを有し、画像格納手段３２１と画像検索手段３２２と追加情報検索手段３２３とを備える。
監視画面画像履歴データベース３２５には、監視画面画像データベース１７から取得した画像データの情報と、画像データに関連付けた画面識別子、保存時刻及び端末ＩＤの情報と、画像データに対応する付加情報及び画面組合せの情報とのリンク情報とが格納される。
追加情報１履歴データベース３２６には、追加情報２データベース１８から取得した付加情報と、付加情報に対応する画像データとのリンク情報とが格納される。
画面組合せ履歴データベース３２７には、画面組合せデータベース１９から取得した画面組合せの情報と、画面組合せの情報に対応する画像データとのリンク情報とが格納される。
【００９３】
画像格納手段３２１は、監視画面の画像データと付加情報と画面組合せの情報とを受信し、監視画面の画像データを監視画面画像履歴データベース３２５に保存し、付加情報を追加情報１履歴データベース３２６に保存し、画面組合せ情報を画面組合せ履歴データベース３２７に保存する。
画像検索手段３２２は、監視画面画像履歴データベース３２５に保存される画像データを検索する。
追加情報検索手段３２３は、追加情報１履歴データベース３２６に保存される付加情報を検索する。
【００９４】
インターネット監視端末２００は、ＷＥＢブラウザ２１０上に、蓄積画面表示要求手段２１６と蓄積画面追加情報表示手段２１７とを備える。
蓄積画面表示要求手段２１６は、一覧表の表示要求データを送信するとともに一覧表の情報を受信してＷＥＢブラウザ２１０上に一覧表を表示して作業員に選択させ、作業員の選択結果を含む蓄積画面表示要求データを送信する。
蓄積画面追加情報表示手段２１７は、複数の監視画面の画像データと付加情報とを受信してＷＥＢブラウザ２１０上に付加情報と複数の監視画面とを表示する。
【００９５】
次に、この発明の実施の形態５における遠隔監視システムの動作について、以下に説明する。
監視対象局１のデータ配信用ＷＷＷサーバ装置１０に保存された情報を、監視センタ３００のデータ蓄積装置３２０に保存する動作について、図１４をもとに説明する。
ステップＳ５０１では、監視画像取得手段３１１が、所定の周期で、データ配信手段１１へ前回の取得時刻以降の画像データの配信要求を送信する。
【００９６】
ステップＳ５０２では、データ配信手段１１が、監視画像取得手段３１１から画像データの配信要求を受信し、監視画面画像データベース１７に新たな画像データが保存されていれば、画像格納手段３２１へ画像データと付加情報と画面組合せの情報とを配信する。
【００９７】
ステップＳ５０３では、画像格納手段３２１が、データ配信手段１１から受信した、画像データを監視画面画像履歴データベース３２５に保存するとともに画像データに関連付けた画面識別子、保存時刻及び端末ＩＤの情報と、付加情報及び画面組合せ情報とのリンク情報とを監視画面画像履歴データベース３２５に保存し、付加情報を追加情報１履歴データベース３２６に保存し、画面組合せの情報を画面組合せ履歴データベース３２７に保存する。
なお、監視対象局が複数ある場合は、監視対象局毎に、前記のステップＳ５０１からＳ５０３を繰り返すことで、複数の監視対象局に保存された情報を監視センタ３００のデータ蓄積装置３２０に纏めて保存できる。
【００９８】
次に、作業員が、監視センタ３００のデータ蓄積装置３２０に保存された画像データと付加情報とをインターネット監視端末２００に表示する時の動作について、図１５をもとに説明する。
ステップＳ５００１では、インターネット監視端末２００の蓄積画面表示要求手段２１６が、蓄積データ配信手段３１２へ一覧表の表示要求データを送信する。
【００９９】
ステップＳ５００２では、蓄積データ配信手段３１２が、蓄積画面表示要求手段２１６から一覧表の表示要求データを受信し、画像検索手段３２２及び追加情報検索手段３２３から取得した一覧表の検索結果を、蓄積画面表示要求手段２１６へ送信する。
【０１００】
ステップＳ５００３では、蓄積画面表示要求手段２１６が、蓄積データ配信手段３１２から一覧表の検索結果を受信して一覧表（図示せず）をＷＥＢブラウザ２１０上に表示し、監視画面の画像データ及び付加情報を選択する選択ボタン（図示せず）をＷＥＢブラウザ２１０上に表示して作業員に選択させ、作業員の選択結果から画像データの組と付加情報の組とを含めた蓄積画面表示要求データを作成して、蓄積データ配信手段３１２へ蓄積画面表示要求データを送信する。
【０１０１】
ステップＳ５００４では、蓄積データ配信手段３１２が、蓄積画面表示要求手段２１６から蓄積画面表示要求データを受信し、蓄積画面表示要求データから画像データの組と付加情報の組とを取り出す。
【０１０２】
ステップＳ５００５では、蓄積データ配信手段３１２が、画像データの組に基づいて監視画面画像履歴データベース３２５から所定の画像データを取得し、付加情報の組に基づいて追加情報１履歴データベース３２６から所定の付加情報を取得して蓄積画面追加情報表示手段２１７へ取得した所定の画像データ及び付加情報を送信する。
【０１０３】
ステップＳ５００６では、蓄積画面追加情報表示手段２１７が、蓄積データ配信手段３１２から受信した所定の画像データ及び付加情報をＷＥＢブラウザ２１０上に表示する。
【０１０４】
この発明の実施の形態５によれば、監視対象局に保存された画像データと付加情報と画面組合せの情報とを、所定の周期で、監視センタのデータ蓄積装置に保存するとともに監視センタのデータ蓄積装置に保存された画像データと付加情報とをインターネット監視端末に表示する遠隔監視システムを提供することができる。
また、複数の監視対象局に保存された監視データを、データ蓄積装置に纏めて保存するので、監視データをデータ蓄積装置で効率的に検索することができる。
【０１０５】
なお、この発明の実施の形態５における遠隔監視システムに、この発明の実施の形態１又はこの発明の実施の形態２と同様に、端末ＩＤ、指定時刻、及び付加情報に含まれる文字列に基づいてデータ蓄積装置に保存された画像データを検索する検索機能を備えれば、監視画面の画像データを効率的に検索できる。
【０１０６】
実施の形態６．
この発明の実施の形態６は、データ蓄積装置に保存される位置情報のある付加情報の有無を地図上にマッピングした地図を表示し、その地図から付加情報を選択して表示する遠隔監視システムである。
図１６は、この発明の実施の形態６における遠隔監視システムの構成を示すブロック図である。図１７は、この発明の実施の形態６における監視センタのデータ蓄積装置に保存された位置情報のある付加情報の有無を地図上にマッピングした地図を表示する動作を示すフローチャートである。図１８は、この発明の実施の形態６における付加情報をマッピングした地図の表示例である。図１９は、この発明の実施の形態６におけるインターネット監視端末で、付加情報の有無を表示する地図から付加情報を選択して表示する動作を示すフローチャートである。
【０１０７】
この発明の実施の形態６における遠隔監視システムの構成について、図１６をもとに説明する。
この発明の実施の形態５と同様の構成の説明は、省略する。
インターネット監視装置３１０は、地図情報データベース３１３を有し、監視画像取得手段３１１と蓄積データ配信手段３１２とを備える。
地図情報データベース３１３には、地図の図形情報と地図の位置情報とが格納される。
蓄積データ配信手段３１２は、マッピング表示要求データを受信すると追加情報検索手段３２３から位置情報のある付加情報の検索結果を取得して検索結果と地図の図形情報とを配信するとともに蓄積画面表示要求データを受信するとデータ蓄積装置３２０に保存される監視画面の画像データと付加情報とを配信する。
【０１０８】
インターネット監視端末２００は、ＷＥＢブラウザ２１０上に、蓄積画面表示要求手段２１６と蓄積画面追加情報表示手段２１７と蓄積画面追加情報地図表示手段２１８とを備える。
蓄積画面追加情報表示手段２１７は、監視画面の画像データと付加情報とを受信してＷＥＢブラウザ２１０上に付加情報と監視画面とを表示する。
蓄積画面追加情報地図表示手段２１８は、マッピング表示要求データを送信するとともに付加情報の検索結果と地図の図形情報とを受信して位置情報のある付加情報の有無を地図上にマッピングした地図をＷＥＢブラウザ２１０上に表示する。
【０１０９】
次に、この発明の実施の形態６における遠隔監視システムの動作について、以下に説明する。
位置情報のある付加情報の有無を地図上にマッピングした地図を表示する動作について、図１７をもとに説明する。
地図情報データベース３１３には、予め定義された地図の図形情報と地図の位置情報とを保存しておく。
ステップＳ６０１では、インターネット監視端末２００の蓄積画面追加情報地図表示手段２１８が、蓄積データ配信手段３１２へマッピング表示要求データを送信する。
【０１１０】
ステップＳ６０２では、蓄積データ配信手段３１２が、蓄積画面追加情報地図表示手段２１８からマッピング表示要求データを受信し、追加情報検索手段３２３へ位置情報のある付加情報の検索を送信する。
【０１１１】
ステップＳ６０３では、追加情報検索手段３２３が、追加情報１履歴データベース３２６から位置情報のある付加情報の検索結果とその位置情報とを取得して、蓄積データ配信手段３１２へ付加情報の検索結果とその位置情報とを送信する。
【０１１２】
ステップＳ６０４では、蓄積データ配信手段３１２が、地図情報データベース３１３から受信した位置情報に対する地図の図形情報を取得する。
【０１１３】
ステップＳ６０５では、蓄積データ配信手段３１２が、蓄積画面追加情報地図表示手段２１８へ付加情報の検索結果と位置情報に対する地図の図形情報とを送信する。
【０１１４】
ステップＳ６０６では、蓄積画面追加情報地図表示手段２１８が、蓄積データ配信手段３１２から付加情報の検索結果と位置情報に対する地図の図形情報とを受信し、位置情報のある付加情報の有無を地図上にマッピングした地図をＷＥＢブラウザ２１０上に表示する。
付加情報は、例えば、図１８のように、写真又は動画の画像ファイルが含まれないものを文書アイコン４００で表示し、写真又は動画の画像ファイルが含まれるものをカメラアイコン４０１で表示する。
なお、写真又は動画の撮影方向の情報が付加情報にある場合、撮影方向４０２が判るようにカメラアイコン４０１を回転させて表示する。
【０１１５】
次に、作業員が、地図上から選択した付加情報を表示する動作について、図１９をもとに説明する。
ステップＳ６００１では、作業員が、ＷＥＢブラウザ２１０上に表示される地図から、付加情報に対するアイコン（図示せず）を選択すると、蓄積画面表示要求手段２１６が起動される。
【０１１６】
ステップＳ６００２では、蓄積画面表示要求手段２１６が、位置情報のある付加情報の一覧表（図示せず）をＷＥＢブラウザ２１０上に表示し、付加情報を選択する選択ボタン（図示せず）をＷＥＢブラウザ２１０上に表示して作業員に複数選択させ、作業員の選択結果から付加情報の組を作成し、その付加情報の組を含めた蓄積画面表示要求データを作成して、蓄積データ配信手段３１２へ蓄積画面表示要求データを送信する。
【０１１７】
ステップＳ６００３では、蓄積データ配信手段３１２が、蓄積画面表示要求手段２１６から蓄積画面表示要求データを受信し、蓄積画面表示要求データから付加情報の組を取り出す。
【０１１８】
ステップＳ６００４では、蓄積データ配信手段３１２が、付加情報の組を指定して、追加情報検索手段３２３へ付加情報の検索を送信する。
【０１１９】
ステップＳ６００５では、追加情報検索手段３２３が、付加情報の組を元に追加情報１履歴データベース３２６から付加情報を取得するとともに画像検索手段３２２が監視画面画像履歴データベース３２５から付加情報とリンク情報のある画像データを取得し、蓄積データ配信手段３１２へ付加情報と監視画面の画像データとを送信する。
【０１２０】
ステップＳ６００６では、蓄積データ配信手段３１２が、蓄積画面追加情報表示手段２１７へ付加情報と画像データとを送信する。
【０１２１】
ステップＳ６００７では、蓄積画面追加情報表示手段２１７が、蓄積データ配信手段３１２から付加情報と画像データとを受信し、ＷＥＢブラウザ２１０上に付加情報と監視画面の画像データとを表示する。
【０１２２】
この発明の実施の形態６によれば、監視センタのデータ蓄積装置に保存された位置情報のある付加情報の有無を地図上にマッピングした地図を表示するとともにその地図から付加情報を選択して、インターネット監視端末に付加情報と監視画面の画像データを表示する遠隔監視システムを提供することができる。
また、マッピングした地図上において、文書アイコンの位置関係及びカメラアイコンの撮影方向から、監視対象機器に関する付加情報を容易に判断できるので、検索作業の省力化が図れる。
【符号の説明】
【０１２３】
１...        監視対象局、
１０...      データ配信用ＷＷＷサーバ装置、
１１...      データ配信手段、              
１２...      画面蓄積要求受付手段、
１３...      画像変換手段、                
１６...      監視画面定義データベース、    
１７...      監視画面画像データベース、
２０...      データ収集装置、
２１...      データ収集手段、              
２２...      監視データベース、
３１、３２...監視対象機器、                
１００...    インターネット、
２００...    インターネット監視端末、
２１０...    ＷＥＢブラウザ、            
２１１...    画面データ表示手段、
２１２...    画面蓄積要求手段
【図１】
2013239033.tif 000003
【図２】
2013239033.tif 000004
【図３】
2013239033.tif 000005
【図４】
2013239033.tif 000006
【図５】
2013239033.tif 000007
【図６】
2013239033.tif 000008
【図７】
2013239033.tif 000009
【図８】
2013239033.tif 000010
【図９】
2013239033.tif 000011
【図１０】
2013239033.tif 000012
【図１１】
2013239033.tif 000013
【図１２】
2013239033.tif 000014
【図１３】
2013239033.tif 000015
【図１４】
2013239033.tif 000016
【図１５】
2013239033.tif 000017
【図１６】
2013239033.tif 000018
【図１７】
2013239033.tif 000019
【図１８】
2013239033.tif 000020
【図１９】
2013239033.tif 000021